(57)【要約】【課題】  咄嗟に警告音を発生する防犯機能を付加する。【解決手段】キー入力部１０２を有する携帯電話機１０１の付加機能動作システム１０１Ａにおいて、携帯電話機の表面に配置され、加わる圧力を測定する圧力センサ１０５と、キー入力部より入力された指定圧力値を記憶する記憶部１１１と、圧力センサにより測定された測定圧力値と記憶部に記憶された指定圧力を比較する圧力値比較部１１２と、携帯電話機の表面に配置され、大きな警報音を発生する複数のスピーカ１０３と、圧力比較部の比較の結果、測定圧力値が指定圧力値よりも大きい場合には複数のスピーカの警報音を発生させる制御部１１３とを備える。【選択図】図２
2005323011.tif 000002
【特許請求の範囲】
【請求項１】
キー入力部を有する携帯電話機の付加機能動作システムにおいて、
前記携帯電話機の表面に配置され、加わる圧力を測定する圧力センサと、
前記キー入力部より入力された指定圧力値を記憶する記憶部と、
前記圧力センサにより測定された測定圧力値と前記記憶部に記憶された指定圧力を比較する圧力値比較部と、
前記携帯電話機の表面に配置され、大きな警報音を発生する複数のスピーカと、
前記圧力比較部の比較の結果、前記測定圧力値が前記指定圧力値よりも大きい場合には前記複数のスピーカの警報音を発生させる制御部とを備えることを特徴とする携帯電話機の付加機能動作システム。
【請求項２】
キー入力部を有する携帯電話機の付加機能動作システムにおいて、
前記携帯電話機の表面に配置され、加わる圧力を測定する圧力センサと、
前記キー入力部より入力された指定圧力値を記憶する記憶部と、
前記圧力センサにより測定された測定圧力値と前記記憶部に記憶された指定圧力値を比較する圧力値比較部と、
前記携帯電話機の端部に配置され、照明を行うＬＥＤライトと、
前記圧力比較部の比較の結果、前記測定圧力値が前記指定圧力値よりも大きい場合には前記ＬＥＤライトを点灯させる制御部とを備えることを特徴とする携帯電話機の付加機能動作システム。
【請求項３】
キー入力部を有する携帯電話機の付加機能動作システムにおいて、
前記携帯電話機の表面に配置され、加わる圧力を測定する圧力センサと、
前記キー入力部より入力された指定圧力値を記憶する記憶部と、
前記圧力センサにより測定された測定圧力値と前記記憶部に記憶された指定圧力値を比較する圧力値比較部と、
前記携帯電話機の表面に配置され、大きな警報音を発生する複数のスピーカと、
前記携帯電話機の端部に配置され、照明を行うＬＥＤライトと、
前記圧力比較部の比較の結果、前記測定圧力値が前記指定圧力値よりも大きい場合には選択により、前記複数のスピーカの警報音を発生させ又は前記ＬＥＤライトを点灯させる制御部とを備えることを特徴とする携帯電話機の付加機能動作システム。
【請求項４】
前記制御部は、前記複数のスピーカの警報音を発生させる場合に同時に前記ＬＥＤライトを点灯させることを特徴とする、請求項３に記載の携帯電話機の付加機能動作システム。
【請求項５】
前記制御部は、前記複数のスピーカに警告音を発生させ、前記ＬＥＤライトを点灯させた場合には、前記キー入力部により、警告音の発生を停止し、点灯を停止することを特徴とする、請求項１乃至請求項４のいずれか１つの請求項に記載の携帯電話機の付加機能動作システム。
【請求項６】
携帯電話機の付加機能動作方法において、
指定圧力値を記憶する工程と、
前記携帯電話機の表面に加わる圧力を測定する工程と、
測定された測定圧力値と記憶された前記指定圧力値を比較する工程と、
比較の結果、前記測定圧力値が前記指定圧力値よりも大きい場合には前記携帯電話機の表面の音源から警報音を発生させる工程とを備えることを特徴とする携帯電話機の付加機能動作方法。
【請求項７】
携帯電話機の付加機能動作方法において、
指定圧力値を記憶する工程と、
前記携帯電話機の表面に加わる圧力を測定する工程と、
測定された測定圧力値と記憶された前記指定圧力値を比較する工程と、
比較の結果、前記測定圧力値が前記指定圧力値よりも大きい場合には前記携帯電話機の端部の光源から照明を行う工程とを備えることを特徴とする携帯電話機の付加機能動作方法。
【請求項８】
携帯電話機の付加機能動作方法において、
指定圧力値を記憶する工程と、
前記携帯電話機の表面に加わる圧力を測定する工程と、
測定された測定圧力値と記憶された前記指定圧力値を比較する工程と、
前記携帯電話機の端部の光源からの照明、又は前記携帯電話機の表面の音源からの警報音発生のいずれかを一方の動作を選択する工程と、
前記圧力比較部の比較の結果、前記測定圧力値が前記指定圧力値よりも大きい場合には前記選択に基づき、前記携帯電話機の端部の光源からの照明、又は前記携帯電話機の表面の音源からの警報音発生のいずれか一方の動作を行う工程とを備えることを特徴とする携帯電話機の付加機能動作システム。
【発明の詳細な説明】
【技術分野】
【０００１】
本発明は携帯電話機に関する。特に、本発明は、携帯電話機の防犯機能、照明機能を含む付加機能を咄嗟に動作させるシステム及び方法に関する。
【背景技術】
【０００２】
近年犯罪が増加し、誰でも犯罪に巻き込まれる恐れが出来てきた。そのような中で、個人の防犯対策の重要性が増してきている。
このため、個人の防犯対策として防犯対策グッズ等を購入し、外出時に用心のために持ち歩くようになってきているが、常に持ち歩くのは邪魔になり、忘れると暴漢等に襲われたときに役に立たないという問題がある。
【０００３】
一方、携帯電話機を持ち歩く人が多くなっているので、携帯電話機に防犯対策機能を付加すれば、防犯対策グッズを持ち歩く必要がなくなるので、携帯電話機に防犯対策機能を付加する必要があるという課題がある。
さらに、暗い場所で物を探すために、懐中電灯を用いるが、懐中電灯が側に無い場合を考慮して携帯電話機に照明機能を付加するものがある。すなわち、携帯電話機にＬＥＤ（発光ダイオード）ライトを設け、キー入力ボタンを押し、メニューよりＬＥＤライト点灯に設定する作業を行わせなければならず、咄嗟の場合に携帯電話機を照明に用いるには煩わしいという問題がある。このため、咄嗟の場合に簡単に携帯電話機の照明を使用できる照明機能を付加する必要があるという課題がある。
【０００４】
携帯電話機等に防犯対策等の機能を付加した従来の技術を下記に列挙する。
従来では、地震で狭所に閉じ込められた場合の所在報知用、或いは暴漢等に襲われた場合の防犯用に好適で、周囲の注意を喚起することができるように、携帯用通信機に呼出音と異なる警報音発声機能を付加し、非常時に何れのキーでも一定の時間以上押し続けることにより警報音を発するものがある（例えば、特許文献１参照）。
【０００５】
しかしながら、上記特許文献１では、キーを一定の時間以上押し続けないと警報音を発しないので、咄嗟の場合には、ユーザに不安を与え、折角押しても何らかの理由でその後に離した場合には警報音を発生しないという問題がある。
また、従来では、暴漢に襲われたときにその現場の位置情報等を速やかにセンターに転送して犯人検挙の一助となるように、本発明は女子または子供が携帯電話端末を持っているとき、緊急事態が発生したときにはハンドストラップを引き抜くことによって割込みが発生し、その割込みがＣＰＵに通知され、そして、ＣＰＵはこの現場の位置情報およびその場面の撮影情報をセンターに転送することによって速やかに事件現場の情報を伝えることができるものがある（例えば、特許文献２参照）。
【０００６】
しかしながら、上記特許文献２では、ハンドストラップを引き抜き、現場の情報をセンターに伝えるが、咄嗟の場合には間に合わないという問題がある。
また、従来では、携帯端末装置の使用に支障が生じることなく、咄嗟の際に確実に防犯機能を発揮することができる携帯端末用ストラップを提供するため、本発明の携帯端末用ストラップは、携帯端末装置の外側面に形成された取付部に連結することができる第一紐材と、第一紐材が連結されておりかつ携帯端末装置の横幅よりも小さい横幅のケーシングとこのケーシング内に収納されており外部からのスイッチ操作により防犯音響を発生する音響発生機構とを有する防犯ベルと、ケーシングに連結された手持ち可能な第二紐材と、を備えているものがある（例えば、特許文献３参照）。
【０００７】
しかしながら、上記特許文献３では、携帯端末用ストラップに防犯ベルを設けるので、持ち歩くのに邪魔になるという問題がある。
また、従来では、急に後ろから暴漢に襲われたり、複数人に襲われた場合でも、一回のプッシュオンだけで警察署に連絡ができるようにするため、携帯電話にワンプッシュの押し釦を備え、この押し釦を押すことによって、１１０番の短縮の信号を１１０番に変換し、変換された信号は所定時間後に無線信号として警察署へ発信され、警察署にてその事件場所の演算が前記事件場所の発信信号に基づいて算出され、更に誤操作の防止として、通報前に再度フンプッシュによる信号を発信するようにした携帯電話からワンプッシュで１１０番の連絡が出来る連絡方法であるものがある（例えば、特許文献４参照）。
【０００８】
しかしながら、上記特許文献４では、ワンプッシュ後一定時間後に１１０番の連絡がされるが、咄嗟の場合には間に合わないという問題がある。
従来では、外圧による液晶パネルの破損防止を可能にするため、２つに折り畳まれる一方にタッチパネル、他方にキースイッチを有する折り畳み式の携帯電話装置の外圧破壊警告システムに、外圧が加わったときに折り畳んだ携帯電話装置のタッチパネルの面とキースイッチの面との間隙を狭める弾性付き突起及びくぼみと、携帯電話装置の折り畳みの開閉を検出する開閉検出スイッチと、キースイッチに設けられ、タッチパネルとの接触によって、弾性付き突起及びくぼみにより狭められた間隙を検出し、外圧による携帯電話装置の破壊を予知する予知突起と、開閉検出スイッチによる携帯電話装置の折り畳み閉状態の検出及びタッチパネルと予知突起との接触の検出を危険と判断してブザーに警告音の鳴動を行わせるための外圧破壊判断部とを備えるものがある（例えば、特許文献５参照）。
【０００９】
しかしながら、上記特許文献５では、開閉検出スイッチを用いて、携帯電話装置に外圧による液晶パネルの破損防止機能を付加するが、携帯電話機に防犯対策機能を付加したり、照明機能を付加するものではない。
また、従来では、動きによってユーザに情報を伝達することができる携帯端末装置を提供するため、エモーショナルグリップは、携帯端末装置本体の側部に設けられた板状の操作子であり、圧力センサはグリップに加えられた圧力を検出し、ソレノイドは、ソレノイド駆動回路からの駆動電流を受け、グリップを外方へ押し出し、いま、ユーザＡがグリップを押すと、圧力センサから出力される圧力データがユーザＢの携帯端末装置へ送られ、ユーザＢの携帯端末装置のソレノイド駆動回路は、その圧力データに対応する電流でソレノイドを駆動し、これにより、ユーザＢの携帯端末装置のグリップが外方へ押し出され、すなわち、ユーザＡがグリップを握ると、ユーザＢにその力が伝わるものがある（例えば、特許文献６参照）。
【００１０】
しかしながら、上記特許文献６では、圧力センサを用いて、携帯端末装置にユーザ間の情報伝達機能を付加するが、携帯電話機に防犯対策機能を付加したり、照明機能を付加するものではない。
また、従来では、動作環境の変化に起因して電子機器が故障することを抑止するため、パームレストの下部に配置される各種センサは、ノート型パーソナルコンピュータに対して瞬間的に加えられた衝撃や振動を検知する衝撃センサ、磁界の強度を検知する磁気センサ、温度と湿度を測定する温度・湿度センサ、および継続的に加えられた圧力を検出する圧力センサから構成され、注意喚起部は、所定の色と間隔で発光する発光部、音声信号や警告音を合成する音声合成部、および微振動を発生する振動発生部から構成され、注意喚起プログラムは、各種センサの検出結果に基づき、画面に注意を促すダイアログを表示させたり、注意喚起部を動作させたり、あるいは、電子メールを送信させたりし、例えばパーソナルコンピュータ、携帯電話機に適用することができるものがある（例えば、特許文献７参照）。
【００１１】
しかしながら、上記特許文献７では、衝撃センサ等を用いて、携帯電話機を含む電子機器に、動作環境の変化に起因して、発光し、警告音を発生して故障防止機能を付加するが、携帯電話機を含む電子機器に防犯対策機能を付加したり、照明機能を付加するものではない。
【００１２】
【特許文献１】実案第３０２３１６２号公報
【特許文献２】特開２００１−０４５１８３号公報
【特許文献３】特開２００２−０９５５１９号公報
【特許文献４】特開２０００−２１７１５８号公報
【特許文献５】特開２００１−０５４１５５号公報
【特許文献６】特開２００３−１８８９４５号公報
【特許文献７】特開２００３−３４５６２７号公報
【発明の開示】
【発明が解決しようとする課題】
【００１３】
したがって、本発明は上記問題点に鑑みて、咄嗟に警告音を発生する防犯機能、咄嗟に暗い場所を点灯する照明機能を付加する携帯電話機の付加機能動作システム及び方法を提供することを目的とする。
【課題を解決するための手段】
【００１４】
本発明は前記問題点を解決するために、キー入力部を有する携帯電話機の付加機能動作システムにおいて、前記携帯電話機の表面に配置され、加わる圧力を測定する圧力センサと、前記キー入力部より入力された指定圧力値を記憶する記憶部と、前記圧力センサにより測定された測定圧力値と前記記憶部に記憶された指定圧力を比較する圧力値比較部と、前記携帯電話機の表面に配置され、大きな警報音を発生する複数のスピーカと、前記圧力比較部の比較の結果、前記測定圧力値が前記指定圧力値よりも大きい場合には前記複数のスピーカの警報音を発生させる制御部とを備えることを特徴とする携帯電話機の付加機能動作システムを提供する。
【００１５】
さらに、本発明は、キー入力部を有する携帯電話機の付加機能動作システムにおいて、前記携帯電話機の表面に配置され、加わる圧力を測定する圧力センサと、前記キー入力部より入力された指定圧力値を記憶する記憶部と、前記圧力センサにより測定された測定圧力値と前記記憶部に記憶された指定圧力値を比較する圧力値比較部と、前記携帯電話機の端部に配置され、照明を行うＬＥＤライトと、前記圧力比較部の比較の結果、前記測定圧力値が前記指定圧力値よりも大きい場合には前記ＬＥＤライトを点灯させる制御部とを備えることを特徴とする携帯電話機の付加機能動作システムを提供する。
【００１６】
さらに、本発明は、キー入力部を有する携帯電話機の付加機能動作システムにおいて、前記携帯電話機の表面に配置され、加わる圧力を測定する圧力センサと、前記キー入力部より入力された指定圧力値を記憶する記憶部と、前記圧力センサにより測定された測定圧力値と前記記憶部に記憶された指定圧力値を比較する圧力値比較部と、前記携帯電話機の表面に配置され、大きな警報音を発生する複数のスピーカと、前記携帯電話機の端部に配置され、照明を行うＬＥＤライトと、前記圧力比較部の比較の結果、前記測定圧力値が前記指定圧力値よりも大きい場合には選択により、前記複数のスピーカの警報音を発生させ又は前記ＬＥＤライトを点灯させる制御部とを備えることを特徴とする携帯電話機の付加機能動作システムを提供する。
【００１７】
さらに、前記制御部は、前記複数のスピーカの警報音を発生させる場合に同時に前記ＬＥＤライトを点灯させる。
さらに、前記制御部は、前記複数のスピーカに警告音を発生させ、前記ＬＥＤライトを点灯させた場合には、前記キー入力部により、警告音の発生を停止し、点灯を停止する。
さらに、本発明は、携帯電話機の付加機能動作方法において、指定圧力値を記憶する工程と、前記携帯電話機の表面に加わる圧力を測定する工程と、測定された測定圧力値と記憶された前記指定圧力値を比較する工程と、比較の結果、前記測定圧力値が前記指定圧力値よりも大きい場合には前記携帯電話機の表面の音源から警報音を発生させる工程とを備えることを特徴とする携帯電話機の付加機能動作方法を提供する。
【００１８】
さらに、本発明は、携帯電話機の付加機能動作方法において、指定圧力値を記憶する工程と、前記携帯電話機の表面に加わる圧力を測定する工程と、測定された測定圧力値と記憶された前記指定圧力値を比較する工程と、比較の結果、前記測定圧力値が前記指定圧力値よりも大きい場合には前記携帯電話機の端部の光源から照明を行う工程とを備えることを特徴とする携帯電話機の付加機能動作方法を提供する。
【００１９】
さらに、本発明は、携帯電話機の付加機能動作方法において、指定圧力値を記憶する工程と、前記携帯電話機の表面に加わる圧力を測定する工程と、測定された測定圧力値と記憶された前記指定圧力値を比較する工程と、前記携帯電話機の端部の光源からの照明、又は前記携帯電話機の表面の音源からの警報音発生のいずれかを一方の動作を選択する工程と、前記圧力比較部の比較の結果、前記測定圧力値が前記指定圧力値よりも大きい場合には前記選択に基づき、前記携帯電話機の端部の光源からの照明、又は前記携帯電話機の表面の音源からの警報音発生のいずれか一方の動作を行う工程とを備えることを特徴とする携帯電話機の付加機能動作システムを提供する。
【発明の効果】
【００２０】
以上説明したように、本発明によれば、携帯電話機に付加した圧力センサにより、暴漢に襲われそうになって咄嗟に強く握った時に携帯電話機に大きな圧力が加わり、大きな警告音が鳴動するので、周囲に危険を通知することが可能になる。
すなわち、携帯電話機を使用しているユーザは、常に身近に所持しているため、咄嗟の事態の時でも、携帯電話機に圧力を加える程度の動作を行うことができるので、簡単に大きな警告音を発することが可能になる。
【００２１】
さらに、常に持ち歩く携帯電話機に防犯機能を付加するので、邪魔になる防犯対策グッズ等を持ち歩く必要が無くなる。
さらに、携帯電話機に付加した圧力センサにより、暗い場所で咄嗟に強く握った時に携帯電話機に大きな圧力が加わり、周囲の照明が行われ、物を探すのに便利になる。すなわち、従来のように、携帯電話機のキー入力部を操作することなく、ＬＥＤを点灯させることが可能となる。
【００２２】
さらに、携帯電話機に付加した防犯機能、照明機能を択一的選択可能となる。
択一的選択された防犯機能では警告音と同時に照明も行われるので周囲に危険を通知する効果が大きくなる。
【発明を実施するための最良の形態】
【００２３】
以下、本発明の実施の形態について図面を参照して説明する。
図１は本発明に係る携帯電話機の概略外観例を示す斜視図である。本図に示すように、携帯電話機１０１には主としてキー入力部１０２、スピーカ１０３、ＬＣＤ（Ｌｉｑｕｉｄ  Ｃｒｙｓｔａｌ  Ｄｉｓｐｌａｙ）１０４、圧力センサ１０５が設けられる。
先ず、キー入力部１０２は携帯電話機１０１の下部に位置し、数値を入力し、携帯電話機１０１を操作する機能を有する。
【００２４】
ＬＣＤ１０４は携帯電話機１０１の上部に位置し、キー入力部１０２から入力した数値、キー入力部１０２から操作した機能、外部から送信された情報等を表示する機能を有する。
２つのスピーカ１０３はＬＣＤ１０４の上部に位置し、携帯電話機１０１から大きな音を鳴らし警告音を発生し、防犯の機能を有する。
【００２５】
圧力センサ１０５は携帯電話機１０１の表面でキー入力部１０２とＬＣＤ１０４の間に位置し、強く握った時などに携帯電話機１０１に加わった大きな圧力を測定する。
なお、圧力センサ１０５は既存の製品とし、例えば、掃除機のモーターパワーコントロール用、自動車のエンジンの空燃比制御用とし、身近なところでは健康管理のための血圧計等に使用されているものである。
【００２６】
図２は図１における携帯電話機の付加機能動作システムの概略構成例を示すブロック図である。本図に示すように、携帯電話機の付加機能動作システム１０１Ａには制御部１１３が設けられ、制御部１１３はＣＰＵ（中央演算装置）で形成され、携帯電話機１０１の全体の制御を行う。制御部１１３にはキー入力部１０２、スピーカ１０３、記憶部１１１、が接続され、さらに、圧力値比較部１１２を介して圧力センサ１０５が接続される。
【００２７】
先ず、記憶部１１１はキー入力部１０２より入力された指定の圧力値を、制御部１１３を介して、記憶する。この指定の圧力値は、ユーザの個人差、すなわち、ユーザの握力の大小を考慮し、鞄に入れたり、ポケットに入れて押された時に加わる程度の圧力よりも大きくし、圧力センサ１０５の誤作動を防止するために用いられる。
圧力値比較部１１２は圧力センサ１０５により測定された圧力値と記憶部１１１に記憶された圧力値とを比較し、比較結果を制御部１１３に出力する。
【００２８】
制御部１１３は圧力値比較部１１２より入力した結果より、スピーカ１０３に対して警告音を発生させ、又は発生させない制御を行う。
図３は図２における携帯電話機の付加機能動作システム１０１Ａの防犯動作例を説明するフローチャートである。本図に示すように、ステップＳ２０１において、ユーザにより携帯電話機１０１の電源が投入される。
【００２９】
ステップＳ２０２において、ユーザのキー入力部１０２操作によりスピーカ１０３動作ＯＮすなわち警告音発生動作ＯＮとなる圧力値が入力され、記憶部１１１に記憶される。
この圧力値の入力は一度行われると、次の携帯電話機の電源投入時以降には、更新の場合を除いて、再度の入力は不要である。
ステップＳ２０３において、ユーザのキー入力部１０２操作によりスピーカ１０３動作設定ＯＮ／ＯＦＦすなわち警告音発生動作設定ＯＮ／ＯＦＦの設定入力を行う。なお、ユーザがステップＳ２０２で入力した指定圧力値が後述するステップＳ２０５にて圧力センサ１０５で測定した測定圧力値と比較され、警告音発生動作を行うべきか否かを設定する。
【００３０】
ステップＳ２０４において、制御部１１３では上記設定入力後スピーカ１０３動作設定ＯＮ／ＯＦＦすなわち警告音発生動作設定ＯＮ／ＯＦＦの判断を行う。設定ＯＦＦの場合には処理を終了する。必要の無いときは警告音発生動作をさせないことが可能とある。
ステップＳ２０５において、設定ＯＮの場合には圧力センサ１０５の圧力値測定が開始され、携帯電話機１０１に加わる圧力が測定される。
【００３１】
ステップＳ２０６において、制御部１１３では記憶部１１１に記憶された指定圧力値と圧力センサ１０５により測定された測定圧力値とを比較する。測定圧力値＜指定圧力値の場合にはステップＳ２０５に戻り測定を継続する。
ステップＳ２０７において、制御部１１３では、測定圧力値≧指定圧力値の場合にはスピーカ１０３から一定時間警告音を発生させる。
【００３２】
ステップＳ２０８において、制御部１１３ではキー入力部１０２の操作の有無を検出し、キー入力部１０２の操作が無い場合にはステップＳ２０４に進み、警告音発生を継続させる。ユーザのキー入力部１０２の操作が有る場合にはステップＳ２０３に進み、ステップＳ２０３でスピーカ１０３の動作設定入力が行われ、ステップＳ２０４で設定ＯＦＦが入力された場合に警告音発生を停止させ、処理を終了する。
【００３３】
したがって、本発明によれば、携帯電話機１０１に付加した圧力センサ１０５により、暴漢に襲われそうになって咄嗟に強く握った時に携帯電話機１０１に大きな圧力が加わり、大きな警告音が発生（鳴動）するので、周囲に危険を通知することが可能になる。
すなわち、携帯電話機１０１を使用しているユーザは、常に身近に所持しているため、咄嗟の事態の時でも、携帯電話機１０１に圧力を加える程度の動作を行うことができるので、簡単に大きな警告音を発生させることが可能になる。
【００３４】
さらに、常に持ち歩く携帯電話機１０１に防犯機能を付加するので、邪魔になる防犯対策グッズ等を持ち歩く必要が無くなる。
【実施例１】
【００３５】
図４は図１の第１の変形例に係る携帯電話機の概略外観例を示す斜視図である。本図に示すように、図１と比較して、携帯電話機１０１に、スピーカ１０３に代わり、ＬＥＤライト１０６が設けられ、ＬＥＤライト１０６は、携帯電話機１０１の上端部に位置し、携帯電話機１０１から光を発生し暗い場所で物を探すための照明機能を有する。
図５は図４における携帯電話機の付加機能動作システムの概略構成例を示すブロック図である。本図に示すように、図２と比較して、携帯電話機の付加機能動作システム１０１Ｂの制御部１１３には、圧力センサ１０５に代わり、ＬＥＤライト１０６が接続される。
【００３６】
制御部１１３は圧力値比較部１１２より入力した結果より、ＬＥＤライト１０６に対して照明させ、又は照明させない制御を行う。
図６は図４における携帯電話機の付加機能動作システム１０１Ｂの照明動作例を説明するフローチャートである。本図に示すように、ステップＳ２１１において、ユーザにより携帯電話機１０１の電源が投入される。
【００３７】
ステップＳ２１２において、ユーザのキー入力部１０２操作によりＬＥＤライト１０６動作ＯＮすなわち照明動作ＯＮとなる圧力値が入力され、記憶部１１１に記憶される。
この圧力値の入力は一度行われると、次の携帯電話機の電源投入時以降には、更新の場合を除いて、再度の入力は不要である。
ステップＳ２１３において、ユーザのキー入力部１０２操作によりＬＥＤライト１０６動作設定ＯＮ／ＯＦＦすなわち照明動作設定ＯＮ／ＯＦＦの設定入力を行う。なお、ユーザがステップＳ２１２で入力した指定圧力値が後述するステップＳ２１５にて圧力センサ１０５で測定した測定圧力値と比較され、照明動作を行うべきか否かを設定する。
【００３８】
ステップＳ２１４において、制御部１１３では上記設定入力後ＬＥＤライト１０６動作設定ＯＮ／ＯＦＦすなわち照明動作設定ＯＮ／ＯＦＦの判断を行う。設定ＯＦＦの場合には処理を終了する。必要の無いときは照明動作をさせないことが可能となる。
ステップＳ２１５において、設定ＯＮの場合には圧力センサ１０５の圧力値測定が開始され、携帯電話機１０１に加わる圧力が測定される。
【００３９】
ステップＳ２１６において、制御部１１３では記憶部１１１に記憶された指定圧力値と圧力センサ１０５により測定された測定圧力値とを比較する。測定圧力値＜指定圧力値の場合にはステップＳ２０５に戻り測定を継続する。
ステップＳ２１７において、制御部１１３では、測定圧力値≧指定圧力値の場合にはＬＥＤライト１０６を点灯し、照明を行う。
【００４０】
ステップＳ２１８において、制御部１１３ではキー入力部１０２の操作の有無を検出し、キー入力部１０２の操作が無い場合にはステップＳ２１４に進み、照明を継続させる。ユーザのキー入力部１０２の操作が有る場合にはステップＳ２１３に進み、ステップＳ２１３でＬＥＤライト１０６の動作設定入力が行われ、ステップＳ２１４で設定ＯＦＦが入力された場合に照明を停止させ、処理を終了する。
【００４１】
したがって、本発明によれば、携帯電話機１０１に付加した圧力センサ１０５により、暗い場所で咄嗟に強く握った時に携帯電話機１０１に大きな圧力が加わり、周囲の照明が行われ、物を探すのに便利になる。すなわち、従来のように、携帯電話機のキー入力部を操作することなく、ＬＥＤを点灯させることが可能となる。
【実施例２】
【００４２】
図７は図１の第２の変形例に係る携帯電話機の概略外観例を示す斜視図である。本図に示すように、図１と比較して、さらに、携帯電話機１０１に、ＬＥＤライト１０６が設けられ、ＬＥＤライト１０６は、携帯電話機１０１の上端部に位置し、携帯電話機１０１から光を発生し暗い場所で物を探すための照明機能を有する。
図８は図７における携帯電話機の付加機能動作システムの概略構成例を示すブロック図である。本図に示すように、図２と比較して、さらに、携帯電話機の付加機能動作システム１０１Ｃの制御部１１３にはＬＥＤライト１０６が接続される。
【００４３】
制御部１１３は圧力値比較部１１２より入力した結果より、スピーカ１０３に対して警告音を発生させ、又は発生させない制御を行い、さらに、ＬＥＤライト１０６に対して照明させ、又は照明させない制御を行う。
図９は図８における携帯電話機の付加機能動作システム１０１Ｃの防犯動作例、照明動作例を説明するフローチャートである。本図に示すように、ステップＳ２２１において、ユーザにより携帯電話機１０１の電源が投入される。
【００４４】
ステップＳ２２２において、ユーザのキー入力部１０２操作によりスピーカ１０３動作ＯＮすなわち警告音発生動作ＯＮとなり、ＬＥＤライト１０６ＯＮすなわち照明動作ＯＮとなる圧力値が入力され、記憶部１１１に記憶される。
ステップＳ２２３において、ユーザのキー入力部１０２操作によりスピーカ１０３ＯＮ動作設定ＯＮ／ＯＦＦすなわち警告音発生動作設定ＯＮ／ＯＦＦの設定入力を行ったか否かを判断する。なお、ユーザがステップＳ２２２で入力した指定圧力値が後述するステップＳ２２５にて圧力センサ１０５で測定した測定圧力値と比較され、警告音発生動作を行うべきか否かを設定する。設定入力を行っていない場合はステップＳ２２９に進む。
【００４５】
ステップＳ２２４において、制御部１１３では上記設定入力後スピーカ１０３動作設定ＯＮ／ＯＦＦすなわち警告音発生動作設定ＯＮ／ＯＦＦの判断を行う。設定ＯＦＦの場合には処理を終了する。必要の無いときは警告音発生動作をさせないことが可能となる。
ステップＳ２２５において、設定ＯＮの場合には圧力センサ１０５の圧力値測定が開始され、携帯電話機１０１に加わる圧力が測定される。
【００４６】
ステップＳ２２６において、制御部１１３では記憶部１１１に記憶された指定圧力値と圧力センサ１０５により測定された測定圧力値とを比較する。測定圧力値＜指定圧力値の場合にはステップＳ２２６に戻り測定を継続する。
ステップＳ２２７において、制御部１１３では、測定圧力値≧指定圧力値の場合にはスピーカ１０３から一定時間警告音を発生する。
【００４７】
ステップＳ２２８において、制御部１１３ではキー入力部１０２の操作の有無を検出し、キー入力部１０２の操作が無い場合にはステップＳ２２４に進み、警告音発生が継続される。キー入力部１０２の操作が有る場合にはステップＳ２２３に進み、ステップＳ２２３でＬＣＤ１０４の動作設定入力があり、ステップＳ２２４で設定ＯＦＦが入力されたと判断された場合に警告音発生を停止させ、処理を終了する。
【００４８】
ステップＳ２２９において、ユーザのキー入力部１０２操作によりＬＥＤライト１０６ＯＮ動作設定ＯＮ／ＯＦＦすなわち照明動作設定ＯＮ／ＯＦＦの設定入力を行う。なお、ユーザがステップＳ２２２で入力した指定圧力値が後述するステップＳ２３１にて圧力センサ１０５で測定した測定圧力値と比較され、照明動作を行うべきか否かを設定する。設定入力を行っていない場合は処理を終了する。
【００４９】
ステップＳ２３０において、制御部１１３では上記設定入力後ＬＥＤライト１０６動作設定ＯＮ／ＯＦＦすなわち照明動作設定ＯＮ／ＯＦＦの判断を行う。設定ＯＦＦの場合には処理を終了する。必要の無いときは照明動作をさせないことが可能となる。
ステップＳ２３１において、設定ＯＮの場合には圧力センサ１０５の圧力値測定が開始され、携帯電話機１０１に加わる圧力が測定される。
【００５０】
ステップＳ２３２において、制御部１１３では記憶部１１１に記憶された指定圧力値と圧力センサ１０５により測定された測定圧力値とを比較する。測定圧力値＜指定圧力値の場合にはステップＳ２３１に戻り測定を継続する。
ステップＳ２３３において、制御部１１３では、測定圧力値≧指定圧力値の場合にはＬＥＤライト１０６を点灯し、照明を行う。
【００５１】
ステップＳ２３４において、制御部１１３ではキー入力部１０２の操作の有無を検出し、キー入力部１０２の操作が無い場合にはステップＳ２３０に進み、照明を継続させる。ユーザのキー入力部１０２の操作が有る場合にはステップＳ２２９に進み、ステップＳ２２９でＬＥＤライト１０６の動作設定入力が行われ、ステップＳ２３０で設定ＯＦＦが入力された場合に照明を停止させ、処理を終了する。
【００５２】
したがって、本発明によれば、携帯電話機１０１に付加した防犯機能、照明機能を択一的選択可能となる。すなわち、犯罪多発地域では防犯機能を選択し、犯罪が無い地域では照明機能を選択することができる。
図１０は図９の変形例を説明するフローチャートである。本図に示すように、図９と比較して、下記のステップが追加される。
ステップＳ２４５において、ユーザのキー入力部１０２操作によりＬＥＤライト１０６動作設定ＯＮ／ＯＦＦすなわち照明動作設定ＯＮ／ＯＦＦの設定入力を行う。
【００５３】
ステップＳ２４９において、ユーザのキー入力部１０２操作によりＬＥＤライト１０６ＯＮ動作設定ＯＮ／ＯＦＦすなわち照明動作設定ＯＮ／ＯＦＦの設定入力を行ったか否かを判断する。設定ＯＦＦが入力されている場合にはステップＳ２５１に進み、携帯電話機の付加機能動作システム１０１Ｃの制御部１１３はＬＥＤライト１０６の点灯を行わない。
ステップＳ２５０において、設定ＯＮが入力されている場合には、携帯電話機の付加機能動作システム１０１Ｃの制御部１１３では、さらに、ＬＥＤライト１０６を点灯し、照明を行う。
【００５４】
したがって、本発明によれば、携帯電話機１０１に付加した防犯機能、照明機能を択一的選択可能であるが、防犯機能では、警告音と同時に照明も行われるので、周囲に危険を通知する効果が大きくなる。
【図面の簡単な説明】
【００５５】
【図１】本発明に係る携帯電話機の概略外観例を示す斜視図である。
【図２】図１における携帯電話機の付加機能動作システムの概略構成例を示すブロック図である。
【図３】図２における携帯電話機の付加機能動作システム１０１Ａの防犯動作例を説明するフローチャートである。
【図４】図１の第１の変形例に係る携帯電話機の概略外観例を示す斜視図である。
【図５】図４における携帯電話機の付加機能動作システムの概略構成例を示すブロック図である。
【図６】図４における携帯電話機の付加機能動作システム１０１Ｂの照明動作例を説明するフローチャートである。
【図７】図１の第２の変形例に係る携帯電話機の概略外観例を示す斜視図である。
【図８】図７における携帯電話機の付加機能動作システムの概略構成例を示すブロック図である。
【図９】図８における携帯電話機の付加機能動作システム１０１Ｃの防犯動作例、照明動作例を説明するフローチャートである。
【図１０】図９の変形例を説明するフローチャートである。
【符号の説明】
【００５６】
１０１…携帯電話機
１０２…キー入力部
１０３…スピーカ
１０４…ＬＣＤ
１０５…圧力センサ
１０６…ＬＥＤライト
１１１…記憶部
１１２…圧力値比較部
１１３…制御部
【図１】
2005323011.tif 000003
【図２】
2005323011.tif 000004
【図３】
2005323011.tif 000005
【図４】
2005323011.tif 000006
【図５】
2005323011.tif 000007
【図６】
2005323011.tif 000008
【図７】
2005323011.tif 000009
【図８】
2005323011.tif 000010
【図９】
2005323011.tif 000011
【図１０】
2005323011.tif 000012